(57)【要約】【課題】簡単な操作によってユーザの嗜好に応じた適切な浴室状態を構成可能なシステムを提供する。【解決手段】本発明の浴室状態管理システムによれば、浴室リモコン（浴室状態設定操作手段）１７０におけるユーザの「目標浴室状態」の設定に応じ、第１認識ユニット１７１により目標浴室状態に応じた複数要素の提供態様が認識・決定される。また、第１認識ユニット１７１により認識された提供態様に従い、浴槽１１２の湯の温度、当該湯に混入される薬剤の種類等、複数要素が要素調節ユニット１７３により調節される。そして、ユーザの嗜好に従って設定され、当該複数要素により構成される目標浴室状態の中で、ユーザに心地よさを感じさせながら入浴時間を過ごさせることができる。【選択図】  図１
2004301378.tif 000002
【特許請求の範囲】
【請求項１】
浴室状態を管理するシステムであって、
目標浴室状態の設定操作を可能とする浴室状態設定操作手段と、
目標浴室状態と、該目標浴室状態を構成する複数要素の調節態様との対応関係に関する情報を記憶保持する第１情報源との通信に基づき、該対応関係に従って、浴室状態設定操作手段を通じて設定された目標浴室状態を構成する複数要素の調節態様を認識する第１認識手段と、
第１認識手段により認識された複数要素の調節態様に従って該複数要素を調節する要素調節手段とを備えていることを特徴とする浴室状態管理システム。
【請求項２】
第１情報源により記憶される前記情報に係る目標浴室状態と複数要素の調節態様との対応関係が、所定の設定操作手段を通じた設定操作に応じて設定されていることを特徴とする請求項１記載の浴室状態管理システム。
【請求項３】
浴室に湯水を供給する給湯装置、給湯装置により浴室に供給される湯水に薬剤を混入する薬剤混入装置、浴室空気を調節する浴室空調装置、浴室に照明を施す浴室照明装置、浴室に映像コンテンツを提供する映像装置及び浴室に音響コンテンツを提供する音響装置のうち少なくともいずれか２つを備え、
要素調節手段が給湯装置により浴室へ供給される湯水、薬剤混入装置により該湯水に混入される薬剤、浴室空調装置により調節される浴室の空気状態、浴室照明装置による照明、映像装置を通じて提供される映像コンテンツ、及び音響装置を通じて提供される音響コンテンツのうち少なくとも２つの要素を調節することを特徴とする請求項１又は２記載の浴室状態管理システム。
【請求項４】
浴室状態と入浴方法との対応関係に関する情報を記憶保持する第２情報源との通信に基づき、該対応関係に従って、浴室状態設定操作手段を通じて設定された目標浴室状態に応じた入浴方法を認識する第２認識手段と、
第２認識手段により認識された入浴方法に関する情報を浴室状態設定操作手段が設けられている空間又は浴室に提供する情報提供手段とを備えていることを特徴とする請求項１、２又は３記載の浴室状態管理システム。
【請求項５】
第２情報源により記憶される前記情報に係る目標浴室状態と入浴方法との対応関係が、所定の設定操作手段を通じた設定操作に応じて設定されていることを特徴とする請求項４記載の浴室状態管理システム。
【請求項６】
浴室状態設定操作手段が温泉名称又は種類と、入浴による効能と、健康状態とのうち少なくとも１つの設定操作を通じた目標浴室状態の設定操作を可能とすることを特徴とする請求項１、２、３、４又は５記載の浴室状態管理システム。
【請求項７】
浴室状態設定操作手段が温泉名称又は種類と、入浴による効能と、健康状態とのうち少なくとも２つの逐次設定操作を通じた目標浴室状態の設定操作を可能とすることを特徴とする請求項１、２、３、４、５又は６記載の浴室状態管理システム。
【請求項８】
前記薬剤混入装置の貯蔵手段による薬剤の貯蔵量を測定する貯蔵量測定手段と、該貯蔵量測定手段による薬剤の貯蔵量が所定量以下になったとき該薬剤の発注情報をネットワークを介して薬剤供給者の端末に送信する発注手段とを備えていることを特徴とする請求項３記載の浴室状態管理システム。
【発明の詳細な説明】
【０００１】
【発明の属する技術分野】
本発明は、浴室の状態を管理するシステムに関する。
【０００２】
【従来の技術】
入浴は単に身体の清潔の観点のみならず、心身のリラックス等の観点から、生活時間の中で重要な位置を占めており、より心地のよい浴室状態の提供という観点から様々な商品が提供されている。例えば、浴室への送風温度、送風量等、浴室の空気状態を調節する温調システムが提供されている（例えば、特許文献１参照）。また、ＤＶＤ等の映像コンテンツや、ＣＤ等の音響を入浴中に楽しめるような映像システム、音響システムが提供されている。さらに、浴槽の湯に入れられることで、芳香を放ち、湯の色調を変化させるさまざまな入浴剤が提供されている。
【０００３】
【特許文献１】
特開２００２−３３３２０４号公報
【０００４】
【発明が解決しようとする課題】
しかし、浴室温度、浴室に提供される映像や音響、浴槽の湯に投入される入浴剤等、浴室状態を構成する複数要素の調節態様を逐一設定する作業がユーザにとっては煩わしい場合がある。また、浴室温度や映像等の複数要素が調和しておらず、当該複数要素により構成される浴室状態がユーザの嗜好にはそぐわないものとなり、入浴中のユーザに違和感を覚えさせる場合もある。
【０００５】
そこで、本発明は、簡単な操作によってユーザの嗜好に応じた浴室状態を提供可能なシステムを提供することを解決課題とする。
【０００６】
【課題を解決するための手段】
前記課題を解決するための本発明の浴室状態管理システムは、目標浴室状態の設定操作を可能とする浴室状態設定操作手段と、目標浴室状態と、該目標浴室状態を構成する複数要素の調節態様との対応関係に関する情報を記憶保持する第１情報源との通信に基づき、該対応関係に従って、浴室状態設定操作手段を通じて設定された目標浴室状態を構成する複数要素の調節態様を認識する第１認識手段と、第１認識手段により認識された複数要素の調節態様に従って該複数要素を調節する要素調節手段とを備えていることを特徴とする。
【０００７】
本発明によれば、浴室状態設定操作手段における設定操作を通じて「目標浴室状態」が設定されれば、第１情報源により記憶保持されている当該対応関係に従って、当該目標浴室状態を構成する複数要素が自動的に調節される。このため、ユーザにより複数要素が逐一設定されなくても、当該ユーザの嗜好に応じた目標浴室状態が構成され得る。
【０００８】
従って、本発明によれば、複数要素の調節態様の逐次設定と比較して簡単で、ユーザの嗜好に応じた目標浴室状態の設定操作を通じ、当該目標浴室状態が構成され得る。
【０００９】
また本発明の浴室状態管理システムは、第１情報源により記憶される前記情報に係る目標浴室状態と複数要素の調節態様との対応関係が、所定の設定操作手段を通じた設定操作に応じて設定されていることを特徴とする。
【００１０】
本発明によれば、ユーザに調和を感じさせ得る複数要素の調節態様等について専門的知識を有する者（専門家）により、所定の設定操作手段を通じて当該対応関係が設定され得る。このため、当該ユーザに複数要素の調和を感じさせ得るように当該対応関係が設定され得る。従って、入浴中のユーザに複数要素の調和を感じさせ、浴室状態に心地よさを覚えさせるように複数要素が調節され得る。
【００１１】
さらに本発明の浴室状態管理システムは、浴室に湯水を供給する給湯装置、給湯装置により浴室に供給される湯水に薬剤を混入する薬剤混入装置、浴室空気を調節する浴室空調装置、浴室に照明を施す浴室照明装置、浴室に映像コンテンツを提供する映像装置及び浴室に音響コンテンツを提供する音響装置のうち少なくともいずれか２つを備え、要素調節手段が給湯装置により浴室へ供給される湯水、薬剤混入装置により該湯水に混入される薬剤、浴室空調装置により調節される浴室の空気状態、浴室照明装置による照明、映像装置を通じて提供される映像コンテンツ、及び音響装置を通じて提供される音響コンテンツのうち少なくとも２つの要素を調節することを特徴とする。
【００１２】
本発明によれば（ａ）浴室に供給される湯水、（ｂ）当該湯水に混入される薬剤、（ｃ）浴室における空気状態、（ｄ）浴室の照明、（ｅ）映像コンテンツ、及び（ｆ）音響コンテンツのうち２つ以上の要素の調節態様が制御されることで浴室状態が実現される。本発明によれば、要素（ａ）〜（ｆ）の調節態様に幅を持たせることにより、ユーザの幅広い嗜好に応じた浴室状態を実現することができる。
【００１３】
例えば（ａ）浴室に供給される湯水や（ｃ）浴室の空気状態の調節態様が制御されることで、浴室に供給される湯水やミストの動き、音、温度等が変化する。そして、その視覚を通じ、聴覚、体感を通じたリラクゼーション効果等の好ましい効果を入浴中のユーザに実感させることができる。
【００１４】
また（ｂ）湯水に混入される薬剤が調節されることで、当該薬剤の放つ香りや色彩、薬効に基づき嗅覚、視覚、体感を通じてリラクゼーション効果等を入浴中のユーザに実感させることができる。
【００１５】
さらに（ｄ）浴室の照明や（ｅ）映像コンテンツが調節されることで、視覚を通じてリラクゼーション効果等を入浴中のユーザに実感させることができる。
【００１６】
また（ｆ）音響コンテンツが調節されることで、聴覚を通じてリラクゼーション効果等を入浴中のユーザに実感させることができる。
【００１７】
気象情報に応じて調節態様が制御された複数の要素により構成される浴室状態の中での入浴を通じ、視覚、聴覚や体感を通じて好ましい効果、ひいては本システムの魅力をユーザに実感させることができる。
【００１８】
なお（ａ）浴室への湯水の調節には、浴槽内の水温（給湯装置が追焚機能を有する場合は追焚温度が含まれる。）、浴槽に供給される湯水の温度、浴室に設けられたシャワーやカラン等を通じて供給される湯水の温度、浴槽等への湯水の供給量、浴室への湯水の供給形態（給湯装置がミスト発生機能を有する場合はミストであるか否か等が含まれる。）及びこれらの時間変化の調節が含まれる。
【００１９】
（ｂ）浴室に供給される湯水への薬剤の調節には、当該湯水に混入される薬剤の種類、量、及びこれらの時間変化の調節が含まれる。
【００２０】
（ｃ）浴室における空気状態の調節には、浴室温度、浴室への送風量、送風方向、浴室の換気量、及びこれらの時間変化の調節が含まれる。
【００２１】
（ｄ）浴室における照明の調節には、浴室における照明の明るさ、色調、及びこれらの時間変化の調節が含まれる。
【００２２】
さらに本発明の浴室状態管理システムは、浴室状態と入浴方法との対応関係に関する情報を記憶保持する第２情報源との通信に基づき、該対応関係に従って、浴室状態設定操作手段を通じて設定された目標浴室状態に応じた入浴方法を認識する第２認識手段と、第２認識手段により認識された入浴方法に関する情報を浴室状態設定操作手段が設けられている空間又は浴室に提供する情報提供手段とを備えていることを特徴とする。
【００２３】
本発明によれば、前記のように複数要素の調節態様の逐次設定と比較して簡単で、ユーザの嗜好に応じた目標浴室状態の設定操作を通じ、当該目標浴室状態が構成され得る。また、複数の要素により構成された目標浴室状態に応じた入浴方法に関する情報がユーザに対して提供される。これにより当該入浴方法に従ってユーザに入浴時間を過ごさせ、本システムの魅力をユーザに覚えさせることができる。
【００２４】
また本発明の浴室状態管理システムは、第２情報源により記憶保持される前記情報に係る目標浴室状態と入浴方法との対応関係が、所定の設定操作手段を通じた設定操作に応じて設定されていることを特徴とする。
【００２５】
本発明によれば、入浴方法とユーザの健康との関係や、ユーザの健康維持・増進のために適切な入浴方法等について専門的知識を有する者（専門家）により、所定の設定操作手段を通じて当該対応関係が設定され得る。このため、目標浴室状態がユーザの健康状態に与える影響が勘案された上で、当該ユーザの健康にとって好ましくなるように複数要素が調節され得る。
【００２６】
また本発明の浴室状態管理システムは、浴室状態設定操作手段が温泉名称又は種類と、入浴による効能と、健康状態とのうち少なくとも１つの設定操作を通じた目標浴室状態の設定操作を可能とすることを特徴とする。
【００２７】
本発明によれば、ユーザは「温泉名称又は種類」「効能」「健康状態」を設定したことで、どのような目標浴室状態が実現されるかをある程度予測しながらも、不測の部分に期待を抱いて入浴に望むことができる。入浴に際してこのような期待をユーザに抱かせることで、本システムの利用に対する魅力を当該ユーザに覚えさせることができる。また「‥温泉名称又は種類、その他、効能、健康状態等を設定すると‥のような浴室状態が実現されるのか」等の感慨を入浴中のユーザに与え、目標浴室状態における入浴に対する強い魅力を当該ユーザに覚えさせることができる。
【００２８】
また本発明の浴室状態管理システムは、浴室状態設定操作手段が温泉名称又は種類と、入浴による効能と、健康状態とのうち少なくとも２つの逐次設定操作を通じた目標浴室状態の設定操作を可能とすることを特徴とする。
【００２９】
本発明によれば、前記のように複数要素の調節態様の逐次設定と比較して簡単で、ユーザの嗜好に応じた目標浴室状態の設定操作を通じ、当該目標浴室状態が構成され得る。また「温泉名称又は種類」「入浴による効能」及び「健康状態」のうち少なくとも２つの逐次設定により「‥という名称（又は種類）の温泉には‥という効能がある」「‥という健康状態にある場合、‥という名称又は種類の温泉に入浴するのが適切な健康管理のために適切である」等の対応関係をユーザに把握させることができる。
【００３０】
そして、ユーザに当該対応関係を把握することの魅力、ひいては本システムの魅力を感じさせることができる。
【００３１】
さらに本発明の浴室状態管理システムは、前記薬剤混入装置の貯蔵手段による薬剤の貯蔵量を測定する貯蔵量測定手段と、該貯蔵量測定手段による薬剤の貯蔵量が所定量以下になったとき該薬剤の発注情報をネットワークを介して薬剤供給者の端末に送信する発注手段とを備えていることを特徴とする。
【００３２】
本発明によれば、薬剤混入装置の貯蔵手段に貯蔵されている薬剤が所定量以下になったとき、薬剤供給者の端末に当該薬剤の発注情報がネットワークを介して送信される。従って、端末を通じて薬剤の発注情報を受信した薬剤供給者により、貯蔵量が所定量以下となった薬剤が迅速に当該浴室の薬剤混入装置の貯蔵手段に補給され得る。
【００３３】
【発明の実施の形態】
本発明の浴室状態管理システムの実施形態について図面を用いて説明する。
【００３４】
図１は浴室状態管理システムの構成説明図であり、図２は浴室状態管理システムの機能説明図であり、図３は目標浴室状態の設定方法の説明図である。
【００３５】
まず、本発明の一実施形態における浴室状態管理システムの構成について図１を用いて説明する。
【００３６】
浴室状態管理システムは給湯装置１１０と、薬剤混入装置１２０と、浴室空調装置１３０と、浴室照明装置１４０と、映像装置１５０と、及び音響装置１６０と、浴室リモコン１７０とを備えている。
【００３７】
給湯装置１１０は浴槽１１２に湯水を供給するとともに、浴室に設けられたカラン１１４及びシャワー１１６を介して浴室に湯水を供給する。
【００３８】
薬剤混入装置１２０は給湯装置１１０により浴室に供給される湯水に薬剤を混入する。薬剤混入装置１２０は複数の貯蔵容器１２２と、貯蔵量測定ユニット１２４と、発注ユニット１２６とを備えている。
【００３９】
複数の貯蔵容器１２２は入浴剤や芳香剤等の複数種類の液状（粉状でもよい）薬剤を種類ごとに貯蔵する。詳細な構成は図示しないが、それぞれの貯蔵容器１２２は電磁弁が設けられた１次薬剤管を介して混合室に連結され、混合室で電磁弁の開閉により流量が調節されたそれぞれの薬剤が混合され、混合室は２次薬剤管を介し、給湯装置１１０から浴室まで延設された給湯・給水管１１８に連結されている。
【００４０】
貯蔵量測定ユニット１２４は貯蔵容器１２２における薬剤の貯蔵量を薬剤の種類ごとに測定する。貯蔵量測定ユニット１２４は例えば貯蔵容器１２２に連結された１次配管に設けられた電磁弁の開度及び開弁時間に基づき、当該貯蔵容器１２２の薬剤の流出量ひいては貯蔵量を測定する。
【００４１】
発注ユニット１２６は貯蔵量測定ユニット１２４により測定されるそれぞれの貯蔵容器１２２の薬剤の貯蔵量が所定量以下になったとき、当該薬剤の「発注情報」をネットワークを介して薬剤供給者の端末２５０に送信する。
【００４２】
浴室空調装置１３０は浴室への送風温度（ひいては浴室温度）、送風量、送風方向及び浴室の換気量等、浴室の空気状態を調節する。
【００４３】
浴室照明装置１４０は浴室の照明の明るさや色を調節する。
【００４４】
映像装置１５０は映像コンテンツサーバ２３０からネットワークを介して映像コンテンツを取得した上で浴室に提供する。
【００４５】
音響装置１６０は音響コンテンツサーバ２４０からネットワークを介して音響コンテンツを取得した上で浴室に提供する。
【００４６】
浴室リモコン１７０は第１認識ユニット１７１と、第２認識ユニット１７２と、要素調節ユニット１７３と、液晶パネル１７４とを備えている。
【００４７】
浴室リモコン１７０は液晶パネル１７４におけるタッチパネル方式の操作が可能とされており、「温泉名称（又は種類）」の設定を通じた「目標浴室状態」の設定操作を可能とする「浴室状態設定操作手段」を構成する。
【００４８】
第１認識ユニット１７１は「目標浴室状態と複数要素の調節態様との対応関係に関する情報」を第１サーバ（第１情報源）２１０からネットワークを介して取得した上で、当該情報に従って、浴室リモコン１７０を通じてユーザにより設定された目標浴室状態に応じた複数要素の調節態様を認識・決定する。第１サーバ２１０により記憶保持されている「目標浴室状態と複数要素の調節態様との対応関係に関する情報」は、入浴者に調和を感じさせる観点から専門家等により決定されている。
【００４９】
複数の要素には（ａ）浴槽１１２の湯水の温度、カラン１１４等を通じて浴室に供給される湯水の温度、量、（ｂ）浴槽１１２等に供給される湯水に混入される薬剤の種類や量、（ｃ）浴室の温度、送風量、送風方向等の空気状態、（ｄ）浴室の照明、（ｅ）映像コンテンツの取得先や内容、及び（ｆ）音響コンテンツの取得先や内容等が含まれる。
【００５０】
第２認識ユニット１７２は「目標浴室状態及び入浴方法の対応関係に関する情報」を第２サーバ（第２情報源）２２０からネットワークを介して取得した上で、当該情報に従って、浴室リモコン１７０を通じてユーザにより設定された目標浴室状態に応じた入浴方法を認識・決定する。第２サーバ２２０により記憶保持されている「目標浴室状態と入浴方法との対応関係に関する情報」は、入浴者の健康維持・増進を図る観点から医者等の専門家により決定されている。
【００５１】
要素調節ユニット１７３は第１認識ユニット１７２により認識された複数要素の調節態様に従って、浴槽１１２の湯の温度や当該湯に混入される薬剤の種類等の複数要素を調節する。
【００５２】
液晶パネル１７４は本発明の「情報提供手段」を構成し、第２認識ユニット１７２により認識された「目標浴室状態に応じた入浴方法に関する情報」等が表示される。
【００５３】
続いて前記構成の本発明の一実施形態における浴室状態管理システムの機能について図２及び図３を用いて説明する。
【００５４】
まず、ユーザにより浴室リモコン１７０の設定操作を通じて「目標浴室状態」が設定される（図２ｓ１）。
【００５５】
具体的には、ユーザにより浴室リモコン１７０がＯＮ操作される等のタイミングで、図３（ａ）に示すように液晶パネル１７４に「どの温泉を選びますか」というメッセージとともに「Ａ温泉」「Ｂ温泉」等の複数の温泉名称を表示する複数のボタンと、各温泉の所在地を示すマップとが表示される。この状態で、ユーザが「Ａ温泉の雰囲気を味わいたい」といった嗜好等に応じて液晶パネル１７４の「Ａ温泉」のボタンに触れることにより、Ａ温泉に応じた「目標浴室状態」が設定される。なお、温泉の「名称」の代わりに、塩化物泉、炭酸水素塩泉、硫酸塩泉等、温泉の「種類」に応じて目標浴室状態が設定されてもよい。
【００５６】
次に第１認識ユニット１７１により「目標浴室状態と複数要素の調節態様との対応関係に関する情報」が第１サーバ２１０からダウンロードされる（図２矢印▲１▼）。この上で、当該情報と、浴室リモコン１７０においてユーザにより設定された目標浴室状態とに基づき、第１認識ユニット１７１によって当該目標浴室状態を構成する複数要素の調節態様が認識・決定される（図２ｓ２）。
【００５７】
また第２認識ユニット１７２により「目標浴室状態と入浴方法との対応関係に関する情報」が第２サーバ２２０からダウンロードされる（図２矢印▲２▼）。この上で、当該情報と、浴室リモコン１７０においてユーザにより設定された目標浴室状態とに基づき、第２認識ユニット１７２により当該目標浴室状態に応じた入浴方法が認識・決定される（図２ｓ３）。これにより図３（ｂ）に示すように、液晶パネル１７４に「入浴に関する注意事項」というメッセージとともに「湯が熱いので１０分ごとに湯から出て５分休むというサイクルを繰り返すとよい」等の入浴方法に関する情報が表示される。
【００５８】
なお、タイマ（図示略）による計測時間に基づき、入浴後１０分経過時に「湯からあがりましょう」というメッセージが液晶パネル１７４に表示され、さらに５分後に「湯に浸かりましょう」というメッセージが液晶パネル１７４に表示される等、入浴方法に関する情報が逐次提供されてもよい。また、液晶パネル１７４を通じた視覚的情報提供のほか、浴室リモコン１７０の音声発生装置（図示略）を通じた聴覚的な情報提供も可能である。
【００５９】
これにより、健康維持・増進等の観点から適切な入浴方法が温泉の種類によって相違することをユーザに認識させ得る。
【００６０】
続いて、要素調節ユニット１７３により、第１認識ユニット１７１により認識された「複数要素の調節態様」に従って当該複数の要素が調節される（ｓ４〜ｓ９）。
【００６１】
具体的には、給湯装置１１０から浴槽１１２に供給される湯水の温度（給湯装置１１０が追焚機能を有する場合は追焚温度）、カラン１１４及びシャワー１１６を通じて浴槽に供給される湯水の温度及びこれらの時間変化が調節される（ｓ４）。なお、ジェットバス機能がある場合には、浴槽１１２へのジェットバブルの供給量、供給態様等が制御されてもよい。
【００６２】
また、浴室に供給される湯水に薬剤混入装置１２０によって混入される薬剤の種類、量及びこれらの時間変化が制御される（ｓ５）。
【００６３】
さらに浴室温度、浴室への送風量、浴室の換気量、及びこれらの時間変化が浴室空調装置１３０を通じて調節される（ｓ６）。
【００６４】
また、浴室における照明の明るさ、色調、及びこれらの時間変化が浴室照明装置１４０を通じて調節される（ｓ７）。
【００６５】
さらに要素調節ユニット１７３により「映像コンテンツ」が映像コンテンツサーバ２３０からダウンロードされ（矢印▲４▼）、当該映像コンテンツが映像装置１５０を通じて浴室に提供される（ｓ８）。
【００６６】
また、要素調節ユニット１７３により「音響コンテンツ」が音響コンテンツサーバ２４０からダウンロードされ（図２矢印▲５▼）、当該音響コンテンツが音響装置１６０を通じて浴室に提供される（ｓ９）。
【００６７】
また、薬剤混入装置１２０において、貯蔵量測定ユニット１２４により測定される各貯蔵容器１２２の薬剤の貯蔵量が所定量以下となったか否かが定常的に判断されている（ｓ１０）。そして、薬剤の貯蔵量が所定量以下になったとき（ｓ１０でＹＥＳ）、当該薬剤を、取扱い薬剤の種類、納期、価格等の基準により注文主を特定した上で注文する「発注情報」が発注ユニット１２６によって薬剤供給者の端末２５０に送信される（図２矢印▲６▼）。これに応じ、薬剤供給者から当該注文主に対し、発注情報に係る薬剤が提供される（図２矢印Ｄ）。
【００６８】
本発明の一実施形態における前記浴室状態管理システムによれば、浴室リモコン（浴室状態設定操作手段）１７０におけるユーザの設定操作を通じて「目標浴室状態」が設定される（図２ｓ１）。これに応じ、第１認識ユニット１７１と第１サーバ２１０との通信（図２矢印▲１▼）に基づき目標浴室状態を構成する複数要素の調節態様が認識・決定される（図２ｓ２）。また、第１認識ユニット１７１により認識された複数要素の調節態様に従い、要素調節ユニット１７３により当該複数要素が調節される。そして、当該複数要素により構成され、ユーザの嗜好に応じて設定された温泉名称に応じた「目標浴室状態」においてユーザに入浴時間を過ごさせることができる。
【００６９】
ユーザの設定操作により温泉名称さえ設定されれば、複数要素の調節態様がユーザによりいちいち設定されなくてもこの温泉名称に応じた目標浴室環境が構成される。また、目標浴室状態を構成する複数要素は、ユーザに調和を感じさせる観点から決定された調節態様に従って調節される。このため、入浴中のユーザに複数要素に調和を感じさせながら、当該目標浴室環境において心地よい入浴時間を過ごさせることができる。
【００７０】
従って、複数要素の調節態様の逐一設定操作と比較して簡単な、温泉名称の設定操作（図２ｓ１）によって、当該ユーザに調和を感じさせ得るように複数要素が調節され、当該複数要素により目標浴室状態が構成され得る。
【００７１】
また（ａ）浴室に供給される湯水、（ｂ）当該湯水に混入される薬剤、（ｃ）浴室における空気状態、（ｄ）浴室の照明、（ｅ）映像コンテンツ、及び（ｆ）音響コンテンツの調節態様に幅を持たせることにより、ユーザの幅広い嗜好に応じた浴室状態を実現することができる。
【００７２】
例えば「Ａ温泉は湯量が豊富で湯が熱く、緯度が高いので空気が冷たい」等の情報に基づき、給湯装置１１０により浴槽１１２に熱めの湯が定常的に豊富に供給されるとともに、浴室空調装置１３０により浴室に冷風が供給されるようにされ得る。これにより、Ａ温泉に応じた目標浴室状態において、湯水の動態、湯水が立てる音、湯水の温度や浴室温度が変化し、入浴中のユーザにその視覚、聴覚、体感を通じたリラクゼーション効果等のユーザにとって好ましい効果を実感させることができる。
【００７３】
また「Ａ温泉の泉質は塩化物泉（炭酸水素塩泉、‥）である」等の情報に基づき、薬剤混入装置１２０により当該泉質が実現されるように入浴剤等の薬剤が調合された上で浴室（特に浴槽１１２）に供給される湯水に混入され得る。これにより、目標浴室状態において入浴中の又は入浴済みのユーザに、当該薬剤の放つ香りや色彩、薬効に基づきこのユーザの嗅覚、視覚、体感を通じてリラクゼーション効果等を実感させることができる。
【００７４】
さらに、夜の露天風呂における入浴が擬似的に実現されるように浴室照明装置１４０の明るさが抑制され、Ａ温泉の周囲の環境を映し出すような映像コンテンツが映像装置１５０を通じて提供され得る。これにより、目標浴室状態において入浴中のユーザに対し、その視覚を通じてリラクゼーション効果等を実感させることができる。
【００７５】
また、川のせせらぎ、小鳥のさえずり、ししおどし等の音響コンテンツが音響装置１６０を通じて提供される。これにより、当該要素により構成される目標浴室状態において入浴中のユーザに対し、その聴覚を通じてリラクゼーション効果等を与えることができる。
【００７６】
目標浴室状態における入浴を通じ、Ａ温泉等、ユーザの嗜好等に応じて設定された温泉への入浴を当該ユーザに擬似体験させることができる。そして、ユーザはその視覚、聴覚、嗅覚や体感を通じて好ましい効果を実感することができるので、本システムの利用に対する魅力を当該ユーザに覚えさせることができる。
【００７７】
さらにユーザにより設定された目標浴室状態に応じ、健康増進の観点から適切な入浴方法に関する情報が液晶パネル１７４に表示される（図３（ｂ））。これにより、ユーザの健康状態の維持・増進を図り得るような形で当該ユーザに入浴時間を過ごさせ、本システムの魅力をユーザに覚えさせることができる。
【００７８】
また、ユーザは「温泉」を自ら設定したことで（図２ｓ１、図３（ａ））、どのような目標浴室状態が構成されるかをある程度予測しながらも、不測の部分に期待を抱いて入浴に望むことができる。入浴に際しこのような期待をユーザに抱かせることで、本システムの魅力を当該ユーザに覚えさせることができる。また「‥温泉を設定すると‥のような浴室状態が実現されるのか」等の感慨を入浴中のユーザに与え、ひいては本システムの強い魅力を当該ユーザに覚えさせることができる。
【００７９】
さらに薬剤混入装置１２０の貯蔵容器１２２により貯蔵されている薬剤が所定量以下になったとき、当該薬剤の発注情報が薬剤供給者の端末２５０に送信される（図２矢印▲５▼）。従って、端末２５０を通じて薬剤の発注情報を受信した薬剤供給者により薬剤が迅速に補給され得る（図２矢印Ｄ）。
【００８０】
なお、前記実施形態ではユーザによる「温泉名称」の設定を通じて目標浴室状態が設定されたが（図２ｓ１、図３（ａ）参照）、他の実施形態として「温泉名称」に加え又はこれに替えて「関節痛が和らぐ」「肌が綺麗になる」等の「入浴による効能」や、「肩が痛い」「眼が疲れている」等の「健康状態」の設定を通じて目標浴室状態が設定されてもよい。
【００８１】
当該他の実施形態において「関節痛が和らぐ」等の設定に応じ、設定された入浴による効能を示す情報が、浴室リモコン１７０から医療機関等の専門機関の端末に送信され、関節痛が和らぐためにはどのように複数要素が調節されるべきかを示す情報が専門機関の端末から浴室リモコン１７０に送信され、当該情報に従って目標浴室状態が設定されてもよい。
【００８２】
また、当該他の実施形態において、ユーザにより入浴による効能及び健康状態のうち少なくとも一方が設定された後、浴室リモコン１７０により当該効能及び健康状態のうち少なくとも一方に応じた温泉が選定され、選定された温泉の範囲内で温泉の設定操作（図３（ａ）参照）が可能とされてもよい。
【００８３】
この場合、ユーザによる「効能」の設定に応じ、その後に当該ユーザにより設定され得る「温泉」が浴室リモコン１７０により選定される。これにより「‥という名称（又は種類）の温泉には‥という効能がある」等の「温泉名称（又は種類）」と「効能」との対応関係をユーザに把握することができる。また、ユーザによる「健康状態」の設定に応じ、その後に当該ユーザにより設定され得る「温泉」が浴室リモコン１７０により選定される。これにより「‥という健康状態にある場合、‥という名称（又は種類）の温泉に入浴するのが適切な健康管理のために適切である」等の「温泉名称（又は種類）」と「健康状態」との対応関係をユーザに把握させることができる。
【００８４】
そして、どの温泉にどのような効能があるか等の対応関係を把握することの魅力をユーザに感じさせ、ひいては本システムの魅力を当該ユーザに感じさせることができる。
【００８５】
「効能」等に応じた「温泉名称（又は種類）」の選定に際し、浴室リモコン１７０が第１サーバ２１０等のサーバからネットワークを介して「効能等及び温泉名称又は種類との対応関係に関する情報」をダウンロードしてもよい。当該サーバが温泉の宿泊施設の運営者等により提供される情報を管理することで、ユーザに対して「効能」等と「温泉名称（又は種類）」とのより正確な対応関係を知らせることができる。
【００８６】
なお、前記実施形態では第１サーバ２１０からダウンロードされた「目標浴室状態と複数要素の調節態様との対応関係に関する情報（図２矢印▲１▼参照）」に基づき、目標浴室状態に応じた複数要素の調節態様が第１認識ユニット１７１により認識されたが（図２ｓ２）、他の実施形態として第１認識ユニット１７１により第１サーバ２１０に「目標浴室状態に関する情報」がアップロードされ、当該情報に基づき第１サーバ２１０により決定され、ダウンロードされる「目標浴室状態に応じた複数要素の調節態様に関する情報」に基づき、当該調節態様が第１認識ユニット１７１により認識・決定されてもよい。
【００８７】
また、前記実施形態では第２サーバ２２０からダウンロードされた「目標浴室状態と入浴方法との対応関係に関する情報（図２矢印▲２▼参照）」に基づき、目標浴室状態に応じた入浴方法が第２認識ユニット１７２により認識されたが（図２ｓ３）、他の実施形態として第２認識ユニット１７２により第２サーバ２２０に「目標浴室状態に関する情報」がアップロードされ、当該情報に基づき、第２サーバ２２０により決定され、ダウンロードされる「目標浴室状態に応じた入浴方法に関する情報」に基づき、当該入浴方法が第２認識ユニット１７２により認識・決定されてもよい。
【００８８】
前記実施形態では映像コンテンツサーバ２３０からダウンロードされた映像コンテンツが映像装置１５０を通じて浴室に提供されたが（図２矢印▲３▼、ｓ８）、他の実施形態としてＤＶＤ等の映像記録媒体の再生装置により再生され、又は放送局から無線・有線放送された映像コンテンツが映像装置１５０を通じて浴室に提供されてもよい。
【００８９】
前記実施形態では音響コンテンツサーバ２４０からダウンロードされた音響コンテンツが音響装置１６０を通じて浴室に提供されたが（図２矢印▲４▼、ｓ９参照）、他の実施形態として「音響コンテンツ」がＣＤ等の音響記録媒体の再生装置により再生され、又は放送局からの無線・有線放送された音響コンテンツが音響装置１６０を通じて浴室に提供されてもよい。
【図面の簡単な説明】
【図１】浴室状態管理システムの構成説明図
【図２】浴室状態管理システムの機能説明図
【図３】目標浴室状態の設定方法説明図
【符号の説明】
１１０‥給湯装置、１２０‥薬剤混入装置、１２２‥薬剤容器、１２４‥貯蔵量測定ユニット、１２６‥発注ユニット、１３０‥浴室空調装置、１４０‥浴室照明装置、１５０‥画像装置、１６０‥音響装置、１７０‥浴室リモコン（浴室状態設定操作手段）、１７１‥第１認識ユニット、１７２‥第２認識ユニット、１７３‥要素調節ユニット、１７４‥液晶パネル（情報提供手段）、２１０‥第１サーバ、２２０‥第２サーバ、２３０‥映像コンテンツサーバ、２４０‥音響コンテンツサーバ、２５０‥薬剤供給者の端末
【図１】
2004301378.tif 000003
【図２】
2004301378.tif 000004
【図３】
2004301378.tif 000005